(57)【要約】      （修正有）【課題】電源仕様を変更し小型電池を大型電池に相当する電気出力に向上させ、コストの削減を図り、生産においても使用においても便利な直列接続電池収納装置を提供する。【解決手段】電池収納装置は、ケース頂部１１及び３つの支持用側壁１２からなるホルダーケース本体１、各支持用側壁１２の自由端に係合されるケース底部２、各支持用側壁１２の間に設けられる第１〜第３電池収納スペース１０、２０、正極部材３及び正極部材３の導電性シート、負極部材と、第１〜第４接続部材５、第１〜第３位置決め溝２３〜２５、第４接続部材のフックリングなどを備えて構成される。【選択図】図１
0003177621.tif 000002
【実用新案登録請求の範囲】
【請求項１】
ケース頂部、及び前記ケース頂部の側面の一端側に等間隔に周設される３つの支持用側壁を有するホルダーケース本体と、
前記各支持用側壁の自由端側の端部に係合されるケース底部と、
前記各支持用側壁の間に電池の収納空間として設けられる第１電池収納スペース、第２電池収納スペース及び第３電池収納スペースと、
前記ケース頂部に挿着される正極部材と、
前記ケース頂部に前記正極部材に近接して設けられ、前記第１、第２電池収納スペースの間にある前記支持用側壁の内側に配置される負極部材と、
前記ケース頂部と係合されて、前記第１電池収納スペースに設けられる第１接続部材と、
一端が前記ケース底部と係合されて、前記第１電池収納スペースに設けられ、他端が前記ケース底部と係合されて、前記第３電池収納スペースに設けられ、前記第１、第３電池収納スペース間に延びる第２接続部材と、
一端が前記ケース頂部と係合されて、前記第２電池収納スペースに設けられ、他端が前記ケース頂部と係合されて、前記第３電池収納スペースに設けられ、前記第２、第３電池収納スペース間に延びる第３接続部材と、
一端を前記負極部材に接続するため前記ケース頂部に設けられ、他端が前記ケース底部と係合されて、前記第２電池収納スペースに設けられる第４接続部材と、
を備えて構成され、
前記３つの支持用側壁の自由端側の端部にそれぞれ、フック状保持部が設けられ、
前記ケース底部の支持用側壁に対応する位置にそれぞれ、前記各支持用側壁の端部が嵌合可能な挿嵌凹部が設けられ、かつ前記各フック状保持部が係合可能な係合穴が設けられ、
前記ケース底部の前記第２接続部材の一端に対応する位置に第１位置決め溝が、前記ケース底部の前記第２接続部材の他端に対応する位置に第２位置決め溝が、前記ケース底部の前記第４接続部材の他端に対応する位置に第３位置決め溝がそれぞれ設けられ、
前記正極部材の前記第１接続部材に隣接する一端側の端縁に、前記第１接続部材に挟装されることで固定される導電性シートが設けられ、
前記負極部材は、前記ケース頂部にネジ締結により固定され、
前記第４接続部材は一端が前記ケース頂部と前記負極部材との間に挟持可能に、前記第４接続部材の一端の前記負極部材と接続する位置に、前記負極部材の長手方向一端に周設するためのフックリングが設けられる、
ことを特徴とする直列接続電池収納装置。
【請求項２】
ケース頂部、及び前記ケース頂部の側面の一端側に等間隔に周設される３つの支持用側壁を有するホルダーケース本体と、
前記各支持用側壁の自由端側の端部に係合されるケース底部と、
前記各支持用側壁の間に電池の収納空間として設けられる第１電池収納スペース、第２電池収納スペース及び第３電池収納スペースと、
前記ケース頂部に挿着される正極部材と、
前記ケース頂部に前記正極部材に近接して設けられ、第１、第２電池収納スペースの間にある支持用側壁の内側に配置される負極部材と、
前記ケース頂部と係合されて、前記第１電池収納スペースに設けられる第１接続部材と、
一端が前記ケース底部と係合されて、前記第１電池収納スペースに設けられ、他端が前記ケース底部と係合されて、前記第３電池収納スペースに設けられ、前記第１、第３電池収納スペース間に延びる第２接続部材と、
一端が前記ケース頂部と係合されて、前記第２電池収納スペースに設けられ、他端が前記ケース頂部と係合されて、前記第３電池収納スペースに設けられ、前記第２、第３電池収納スペース間に延びる第３接続部材と、
一端を前記負極部材に接続するため前記ケース頂部に設けられ、他端が前記ケース底部と係合されて、前記第２電池収納スペースに設けられる第４接続部材と、
を備えて構成され、
前記３つの支持用側壁の自由端側の端部にそれぞれ、前記ケース底部とネジ締結するための止めネジを螺接可能なネジ穴が設けられ、
前記ケース底部の前記支持用側壁に対応する位置にそれぞれ、前記各支持用側壁の端部が嵌合可能な挿嵌凹部が設けられ、前記各挿嵌凹部に前記止めネジを貫通するためのスルーホールが設けられ、
前記ケース底部の前記第２接続部材の一端に対応する位置に第１位置決め溝が、前記ケース底部の前記第２接続部材の他端に対応する位置に第２位置決め溝が、前記ケース底部の前記第４接続部材の他端に対応する位置に第３位置決め溝がそれぞれ設けられ、
前記正極部材の前記第１接続部材に隣接する一端側の端縁に、前記第１接続部材に挟装されることで固定される導電性シートが設けられ、
前記負極部材は、前記ケース頂部にネジ締結により固定され、
前記第４接続部材は一端が前記ケース頂部と前記負極部材との間に挟持可能に、前記第４接続部材の一端の前記負極部材と接続する位置に、前記負極部材の長手方向一端に周設するためのフックリングが設けられる、
ことを特徴とする直列接続電池収納装置。
【請求項３】
前記第２電池収納スペースと前記第３電池収納スペースとの間にある前記支持用側壁の外側に挿嵌溝が設けられ、前記挿嵌溝に前記ケース底部の内側面に設けられる挿嵌用突起が係合されることを特徴とする請求項１又は２に記載の直列接続電池収納装置。
【請求項４】
前記第１接続部材は薄型導体であり、その中央部分が前記第１電池収納スペースに突き出され、また、前記第１接続部材の両側端縁にそれぞれ、前記第１接続部材を前記ケース頂部に固定するための薄片が設けられることを特徴とする請求項１又は２に記載の直列接続電池収納装置。
【請求項５】
前記第１電池収納スペースに内設される前記第２接続部材の一端に第１大コイルばねが設けられ、前記第３電池収納スペースに内設される前記第２接続部材の他端に第１小コイルばねが設けられ、前記第１大コイルばねと前記第１小コイルばねとの間に、両者を連接するための第１ばね素線が設けられることを特徴とする請求項１又は２に記載の直列接続電池収納装置。
【請求項６】
前記第２電池収納スペースに内設される前記第３接続部材の一端に第２大コイルばねが設けられ、前記第３電池収納スペースに内設される前記第３接続部材の他端に第２小コイルばねが設けられ、前記第２大コイルばねと前記第２小コイルばねとの間に、両者を連接するための第２ばね素線が設けられることを特徴とする請求項１又は２に記載の直列接続電池収納装置。
【請求項７】
前記第２電池収納スペースに内設される前記第４接続部材の他端に第３大コイルばねが設けられ、前記フックリングと前記第３大コイルばねとの間に、前記フックリングと前記第３大コイルばねとを連接するための第３ばね素線が設けられることを特徴とする請求項１又は２に記載の直列接続電池収納装置。
【請求項８】
前記正極部材の前記ケース頂部から突き出される一端側に、正極を代表する正極パターンが設けられることを特徴とする請求項１又は２に記載の直列接続電池収納装置。
【請求項９】
前記負極部材はネジであり、また、前記負極部材の前記ケース頂部から突き出される一端側に、負極を代表する負極パターンが設けられることを特徴とする請求項１又は２に記載の直列接続電池収納装置。
【考案の詳細な説明】
【技術分野】
【０００１】
本考案は、直列接続電池収納装置に関する。
に関する。
【背景技術】
【０００２】
多くの携帯型電気製品は乾電池から電源が供給される。これらの電気製品には、例えば、懐中電灯やラジオなどがある。この種の携帯型電気製品に用いられる電池はと言うと、単１形電池や単３形電池の場合が多く、また、高出力の携帯型電気製品では、単１形電池から電源が供給される場合が多い。
これらの携帯型電気製品は普通の生活の中でよく使用されるものではないため、消費者が電気製品を使おうとすると、たまに電力不足が発生してしまうことがある。そこで、自然災害に遭遇したときなど緊急時に備えて、電力不足を防ぐため、単１形電池を常備しておきたいところ、消費者が単１形電池を常に大量に買っておくことで、単１形電池が品切れ状態になってしまうことがある。また、コスト面で単１形電池と単３形電池は異なるため、単１形電池の在庫量は通常単３形電池の在庫量よりも遥かに低い状況にある。このため、単３形電池しか買えないことが多い。
【０００３】
これに対して、従来の一般的な電池収納装置は、旧来の仕様の制限があり、単１形電池しか使用しない電気製品では単３形電池を使用できない。このような電気製品を使用する時に単３形電池が使用できないのは消費者にとって迷惑となる。
【考案の概要】
【考案が解決しようとする課題】
【０００４】
既述のとおり、従来の一般的な電池収納装置は、旧来からの仕様の制限があるため、単１形電池しか使用しない電気製品では単３形電池を使用することができない、という問題がある。
【０００５】
本考案は、このような従来の問題について鑑みなされたもので、電源仕様を変更し、小型電池を大型電池に相当する電気出力に向上させるとともに、コストの削減を図り、生産においても使用においても便利な、直列接続電池収納装置を提供すること、を目的とする。
【課題を解決するための手段】
【０００６】
上記目的を達成するために、本考案の直列接続電池の収納装置は、ケース頂部及び前記ケース頂部の側面一端側に等間隔に周設される三つの支持用側壁を有するホルダーケース本体と、前記支持用側壁の自由端に対応する位置に係合されるケース底部と、第1電池収納スペースや第2電池収納スペースや第3電池収納スペースとされる前記支持用側壁の間にある収納空間と、前記ケース頂部の前記支持用側壁に対する反対側に設けられる正極部材と、前記正極部材に隣接し、前記第1と第2電池収納スペースとの間にある前記支持用側壁に直面し、前記ケース頂部の前記支持用側壁に対する反対側に設けられる負極部材と、前記ケース頂部と係合され、前記第1電池収納スペースに設けられる第1接続部材と、前記ケース底部と係合され、一端は前記第1電池収納スペースに設けられ、反対側一端は前記第3電池収納スペースに延長する第2接続部材と、前記ケース頂部と係合され、一端は前記第2電池収納スペースに設けられ、反対側一端は前記第3電池収納スペースに延長する第3接続部材と、一端は前記負極部材に接続するため、前記ケース頂部に設けられると共に、反対側一端は前記ケース底部と係合されるため、前記第2電池収納スペースに設けられる第4接続部材とを備え、前記支持用側壁に対応する前記ケース底部に、それぞれ挿嵌凹部が配置され、また、前記挿嵌凹部と嵌合する前記支持用側壁に、それぞれフック状保持部が設けられ、かつ、前記フック状保持部に対応する前記ケース底部に、それぞれ係合穴が配置され、前記第2接続部材に対応する前記ケース底部の一端に第1位置決め溝が、また、前記第2接続部材に対応する前記ケース底部の他端に第2位置決め溝が、かつ、前記第4接続部材に対応する前記ケース底部の他端に第3位置決め溝が配置され、前記正極部材の前記ケース底部を介した一端で、前記第1接続部材に隣接する一端側の端縁に、前記第1接続部材に挟装されることで固定される導電性シートが設けられ、前記負極部材は、前記ケース頂部に螺接されることで固定され、前記第4接続部材の一端を前記ケース頂部と前記負極部材との間に挟まれるため、前記第4接続部材が前記負極部材と接続する位置に、前記負極部材の長手一端に周設するためのフックリングが設けられることから基本構造をする、ことを要旨とする。
【０００７】
また、上記目的を達成するために、本考案の直列接続電池収納装置は、ケース頂部及び前記ケース頂部の側面一端側に等間隔に周設される三つの支持用側壁を有するホルダーケース本体と、前記支持用側壁の自由端に対応する位置に係合されるケース底部と、第1電池収納スペースや第2電池収納スペースや第3電池収納スペースとされる前記支持用側壁の間にある収納空間と、前記ケース頂部の前記支持用側壁に対する反対側に設けられる正極部材と、前記正極部材に隣接し、前記第1と第2電池収納スペースとの間にある前記支持用側壁に直面し、前記ケース頂部の前記支持用側壁に対する反対側に設けられる負極部材と、前記ケース頂部と係合され、前記第1電池収納スペースに設けられる第1接続部材と、前記ケース底部と係合され、一端は前記第1電池収納スペースに設けられ、反対側一端は前記第3電池収納スペースに延長する第2接続部材と、前記ケース頂部と係合され、一端は前記第2電池収納スペースに設けられ、反対側一端は前記第3電池収納スペースに延長する第3接続部材と、一端は前記負極部材に接続するため、前記ケース頂部に設けられると共に、反対側一端は前記ケース底部と係合されるため、前記第2電池収納スペースに設けられる第4接続部材とを備え、前記支持用側壁に対応する前記ケース底部に、それぞれ挿嵌凹部が配置され、前記挿嵌凹部と嵌合する前記支持用側壁の一端に、それぞれ前記支持用側壁を前記ケース底部と螺接するための止めネジが設けられ、また、前記止めネジと螺接する前記支持用側壁に、ぞれぞれネジ穴が設けられ、かつ、前記止めネジに対応する前記ケース底部の前記支持用側壁から遠い側面に、それぞれ前記挿嵌凹部を貫通するスルーホールが設けられ、前記第2接続部材に対応する前記ケース底部の一端に第1位置決め溝が、また、前記第2接続部材に対応する前記ケース底部の他端に第2位置決め溝が、かつ、前記第4接続部材に対応する前記ケース底部の他端に第3位置決め溝が配置され、前記正極部材の前記ケース底部を介した一端で、前記第1接続部材に隣接する一端側の端縁に、前記第1接続部材に挟装されることで固定される導電性シートが設けられ、前記負極部材は、前記ケース頂部に螺接されることで固定され、前記第4接続部材の一端を前記ケース頂部と前記負極部材との間に挟まれるため、前記第4接続部材が前記負極部材と接続する位置に、前記負極部材の長手一端に周設するためのフックリングが設けられることから基本構造をする、ことを要旨とする。
【０００８】
また、これらの直列接続電池収納装置はそれぞれ、各部が次のように具体化されることが好ましい。
（１）前記第2電池収納スペースと前記第3電池収納スペースとの間にある前記支持用側壁の外側に挿嵌溝が設けられ、又、前記挿嵌溝が前記ケース底部の内側面に設けられる挿嵌用突起と係合することが可能である。
（２）前記第1接続部材は薄型導体であり、かつ、その中央部分が前記第1電池収納スペースに突き出し、また、前記第1接続部材の両側端縁に、それぞれ前記第1接続部材を前記ケース頂部に固定するための薄片が設けられる。
（３）前記第1電池収納スペースに内設する前記第2接続部材の一端に第1大コイルばねが、前記第3電池収納スペースに内設する前記第2接続部材の他端に第1小コイルばねが設けられると共に、前記第1大コイルと前記第1小コイルばねとの間に、前記両者を連接するための第1ばね素線が設けられる。
（４）前記第2電池収納スペースに内設する前記第3接続部材の一端に第2大コイルばねが、前記第3電池収納スペースに内設する前記第3接続部材の他端に第2小コイルばねが設けられると共に、前記第2大コイルと前記第2小コイルばねとの間に、前記両者を連接するための第2ばね素線が設けられる。
（５）前記第2電池収納スペースに内設する前記第4接続部材の一端に第3大コイルばねが設けられると共に、前記第3大コイルばねと前記フックリングとの間に、前記フックリングと前記第3大コイルばねとを連接するための第3ばね素線が設けられる。
（６）前記正極部材の前記ケース頂部に突き出る一端側に、正極を代表する正極パターンが設けられる。
（７）前記負極部材はネジであり、または、前記負極部材の前記ケース頂部に突き出る一端側に、負極を代表する負極パターンが設けられる。
【考案の効果】
【０００９】
本考案の直列接続電池収納装置によれば、上記の各構造により、次のような効果を奏する。
（１）直列回路により、小型電池を大型電池に相当する電気出力に向上することが可能である。
（２）係合又は螺接する構造により、接触不良による短路を予防でき、組立てに迅速かつ便利で、材料の節約や、揺れによる電池の位置ずれ防止が可能である。
【図面の簡単な説明】
【００１０】
【図１】本考案の第１、第２の実施の形態による直列接続電池収納装置の基本構造を示す斜視図
【図２】本考案の第１の実施の形態による直列接続電池収納装置の構成を示す分解斜視図
【図３】同電池収納装置の構成を図２とは異なる方向から示す分解斜視図
【図４】本考案の第２の実施の形態による直列接続電池収納装置の構成を示す分解斜視図
【図５】同電池収納装置の構成を図４とは異なる方向から示す分解斜視図
【図６】上記各電池収納装置の特に正極端子を示す一部断面斜視図
【図７】上記各電池収納装置の回路構成を示す図
【図８】上記各電池収納装置の使用例及びその効果を示す図
【考案を実施するための形態】
【００１１】
次に、この考案を実施するための形態について図を用いて説明する。
図１は本考案の第１、第２の実施の形態による直列接続電池収納装置に共通の基本構造を示す斜視図、図２は本考案の第１の実施の形態による直列接続電池収納装置に特有の構成を示す分解斜視図、図３は同電池収納装置の構成を別の視点から示す分解斜視図、図６は同電池収納装置の特に正極端子を示す一部断面斜視図である。
【００１２】
図１乃至図３及び図６に示すように、直列接続電池収納装置は、ケース頂部１１、及びケース頂部１１の側面の一端側に等間隔に周設される３つの支持用側壁１２を有するホルダーケース本体１と、支持用側壁１２の自由端側の端部に係合されるケース底部２と、３つの支持用側壁１２の間に電池の収納空間として設けられる第１電池収納スペース１０、第２電池収納スペース２０及び第３電池収納スペース３０と、ケース頂部１１の略中央に挿着される正極部材３と、ケース頂部１１に正極部材３に近接して設けられ、第１、第２電池収納スペース１０、２０の間にある支持用側壁１２の内側に配置される負極部材４と、ケース頂部１１と係合されて、第１電池収納スペース１０に設けられる第１接続部材５と、一端がケース底部２と係合されて、第１電池収納スペース１０に設けられ、他端がケース底部２と係合されて、第３電池収納スペース３０に設けられ、第１、第３電池収納スペース１０、３０間に延びる第２接続部材６と、一端がケース頂部１１と係合されて、第２電池収納スペース２０に設けられ、他端がケース頂部１１と係合されて、第３電池収納スペース３０に設けられ、第２、第３電池収納スペース２０、３０間に延びる第３接続部材７と、一端を負極部材４に接続するためケース頂部１１に設けられ、他端がケース底部２と係合されて、第２電池収納スペース２０に設けられる第４接続部材８とを備えて構成される。
この場合、３つの支持用側壁１２の自由端側の端部にそれぞれ、フック状保持部１３が設けられ、ケース底部２の支持用側壁１２に対応する位置にそれぞれ、各支持用側壁１２の端部が嵌合可能な挿嵌凹部２１が設けられ、かつ各フック状保持部１３が係合可能な係合穴２１１が設けられる。
ケース底部２の第２接続部材６の一端に対応する位置に第１位置決め溝２３が、ケース底部２の第２接続部材６の他端に対応する位置に第２位置決め溝２４が、ケース底部２の第４接続部材８の他端に対応する位置に第３位置決め溝２５がそれぞれ設けられる。
正極部材３の第１接続部材５に隣接する一端側の端縁に、第１接続部材５に挟装されることで固定される導電性シート３１が設けられる。
負極部材４はケース頂部１１にネジ締結（ネジ式の負極部材４とケース頂部１１に設けられたネジ穴との螺接）により固定される。
第４接続部材８は一端がケース頂部１１と負極部材４との間に挟持可能に、第４接続部材８の一端の負極部材４と接続する位置に、負極部材４の長手方向一端に周設するためのフックリング８１が設けられる。
【００１３】
このようにして、ホルダーケース本体１とケース底部２とをフック状保持部１３と係合穴２１１との組み合わせにより結合する構造としたことにより、接触不良による短路を予防でき、組立てが迅速でかつ便利に行え、しかも、材料の節約にもつながる。この場合、全体的にコストを最小化でき、揺れによる電池の位置ずれ防止も可能で、低震動の環境に適用する。
【００１４】
図４は本考案の第２の実施の形態による直列接続電池収納装置に特有の構成を示す分解斜視図、図５は同電池収納装置の構成を別の視点から示す分解斜視図である。
図４及び図５に示すように、直列接続電池収納装置は、ケース頂部１１、及びケース頂部１１の側面の一端側に等間隔に周設される３つの支持用側壁１２を有するホルダーケース本体１と、支持用側壁１２の自由端側の端部に係合されるケース底部２と、３つの支持用側壁１２の間に電池の収納空間として設けられる第１電池収納スペース１０、第２電池収納スペース２０及び第３電池収納スペース３０と、ケース頂部１１の略中央に挿着される正極部材３と、ケース頂部１１に正極部材３に近接して設けられ、第１、第２電池収納スペース１０、２０の間にある支持用側壁１２の内側に配置される負極部材４と、ケース頂部１１と係合されて、第１電池収納スペース１０に設けられる第１接続部材５と、一端がケース底部２と係合されて、第１電池収納スペース１０に設けられ、他端がケース底部２と係合されて、第３電池収納スペース３０に設けられ、第１、第３電池収納スペース１０、３０間に延びる第２接続部材６と、一端がケース頂部１１と係合されて、第２電池収納スペース２０に設けられ、他端がケース頂部１１と係合されて、第３電池収納スペース３０に設けられ、第２、第３電池収納スペース２０、３０間に延びる第３接続部材７と、一端を負極部材４に接続するためケース頂部１１に設けられ、他端がケース底部２と係合されて、第２電池収納スペース２０に設けられる第４接続部材８とを備えて構成される。
この場合、３つの支持用側壁１２の自由端側の端部にそれぞれ、ケース底部２とネジ締結するための止めネジ９を螺接可能なネジ穴１４が設けられ、ケース底部２の支持用側壁１２に対応する位置にそれぞれ、各支持用側壁１２の端部が嵌合可能な挿嵌凹部２１が設けられ、各挿嵌凹部２１に止めネジ９を貫通するためのスルーホール２２が設けられる。
ケース底部２の第２接続部材６の一端に対応する位置に第１位置決め溝２３が、ケース底部２の第２接続部材６の他端に対応する位置に第２位置決め溝２４が、ケース底部２の第４接続部材８の他端に対応する位置に第３位置決め溝２５がそれぞれ設けられる。
正極部材３の第１接続部材５に隣接する一端側の端縁に、第１接続部材５に挟装されることで固定される導電性シート３１が設けられる。
負極部材４はケース頂部１１にネジ締結（ネジ式の負極部材４とケース頂部１１に設けられたネジ穴との螺接）により固定される。
第４接続部材８は一端がケース頂部１１と負極部材４との間に挟持可能に、第４接続部材８の一端の負極部材４と接続する位置に、負極部材４の長手方向一端に周設するためのフックリング８１が設けられる。
【００１５】
このようにして、ホルダーケース本体１とケース底部２とを止めネジ９とスルーホール２２及びネジ穴１４との組み合わせにより結合する構造としたことにより、接触不良による短路を予防でき、組立てが迅速かつ便利に行え、しかも、材料の節約にもつながる。この場合、全体的にコストは適切で、揺れによる電池の位置ずれ防止も可能で、中又は高震動の環境に適用する。
【００１６】
上記の各直列接続電池収納装置にはまた、次のような共通の構成を併せて備える。
第２電池収納スペース２０と第３電池収納スペース３０との間にある支持用側壁１２の外側に挿嵌溝１５が設けられ、この挿嵌溝１５にケース底部２の内側面に設けられる挿嵌用突起２６が係合可能である。
このようにして挿嵌溝１５と挿嵌用突起２６とを組み合わせることにより、ホルダーケース本体１とケース底部２がしっかりと係合されるため、ホルダーケース本体１の位置ずれ防止が可能で、ポカヨケ機能を有する。
第１接続部材５は薄型導体であり、かつ、その中央部分が第１電池収納スペース１０に突き出され、また、第１接続部材５の両側端縁にそれぞれ、第１接続部材５をケース頂部１１に固定するための薄片５１が設けられる。
このようにして第１接続部材５は薄片５１によってしっかりとケース頂部１１に固定され、電池との接続が容易になる。また、正極部材３の導電性シート３１が有効に接続される。
第１電池収納スペース１０に内設される第２接続部材６の一端に第１大コイルばね６１が設けられ、第３電池収納スペース３０に内設される第２接続部材６の他端に第１小コイルばね６２が設けられ、第１大コイルばね６１と第１小コイルばね６２との間に、両者を連接するための第１ばね素線６３が設けられる。また、第２電池収納スペース２０に内設される第３接続部材７の一端に第２大コイルばね７１が設けられ、第３電池収納スペース３０に内設される第３接続部材７の他端に第２小コイルばね７２が設けられ、第２大コイルばね７１と第２小コイルばね７２との間に、両者を連接するための第２ばね素線７３が設けられる。さらに、第２電池収納スペース２０に内設される第４接続部材８の他端に第３大コイルばね８２が設けられ、フックリング８１と第３大コイルばね８２との間に、フックリング８１と第３大コイルばね８２とを連接するための第３ばね素線８３が設けられる。
このようにして第２接続部材６、第３接続部材７、第４接続部材８それぞれの配置により、各自対応する電池の一端に有効に接続でき、かつ、位置決め機能を実現することができる。また、サイズの異なるコイルばねを以て、消費者にどの端が電池の正極又は負極に対応するかが分かるようになる。一般的には、大コイルばねが負極に対応し、小コイルばねが正極に対応する。
正極部材３のケース頂部１１から突き出される一端側に、正極を代表する正極パターンが設けられる。負極部材４はネジであり、この負極部材４のケース頂部１１から突き出される一端側に、負極を代表する負極パターンが設けられる。
このような正極部材３と負極部材４の形状、構造により、電力輸出が便利になると同時に、正極パターンと負極パターンの応用を以て、消費者は正極と負極の位置が確実に把握でき、誤接続防止が可能である。
【００１７】
図7に上記の各直列接続電池収納装置の回路構成を示している。図７に示すように、上記の各電池収納装置では、小型電池を直列回路を経由することによって大型電池に相当する電気出力に向上させる。
【００１８】
図８に上記の各直列接続電池収納装置の使用例及びその効果を示している。図８に示すように、上記の各電池収納装置では、電池１００をそれぞれ各収納スペースに装着することによって、電池１００を固定する。そして、これらの電池収納装置を電気製品に装着することで、単３形電池を単１形電池と同じように便利に使用することができるという効果がある。
【００１９】
以上説明したように、上記の各直列接続電池収納装置によれば、上記の各構造により、次のような効果を奏する。
（１）各電池収納装置に構成される直列回路により、小型電池を大型電池に相当する電気出力に向上させることができる。
（２）各電池収納装置において、ホルダーケース本体１とケース底部２とをフック状保持部１３と係合穴２１１との係合又は止めネジ９とネジ穴１４との螺接により結合するので、接触不良による短路を予防し、揺れによる電池の位置ずれを防止することができ、また、組立てを迅速かつ便利に行え、しかも材料の節約を行うことができる。
【００２０】
なお、以上の各実施の形態は、本考案の構造と、特徴及び作用効果を説明するために用いられるものであり、新規性や進歩性といった要件を満たしているため、規定による実用新案登録出願を行うが、上述では本考案の好ましい実施例を開示したに過ぎず、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２１】
１  ホルダーケース本体
１１  ケース頂部
１２  支持用側壁
１３  フック状保持部
１４  ネジ穴
１５  挿嵌溝
２  ケース底部
２１  挿嵌凹部
２１１  係合穴
２２  スルーホール
２３  第１位置決め溝
２４  第２位置決め溝
２５  第３位置決め溝
２６  挿嵌用突起
３  正極部材
３１  導電性シート
４  負極部材
５  第１接続部材
５１  薄片
６  第２接続部材
６１  第１大コイルばね
６２  第１小コイルばね
６３  第１ばね素線
７  第３接続部材
７１  第２大コイルばね
７２  第２小コイルばね
７３  第２ばね素線
８  第４接続部材
８１  フックリング
８２  第３大コイルばね
８３  第３ばね素線
９  止めネジ
１０  第１電池収納スペース
２０  第２電池収納スペース
３０  第３電池収納スペース
１００  電池
【図１】
0003177621.tif 000003
【図２】
0003177621.tif 000004
【図３】
0003177621.tif 000005
【図４】
0003177621.tif 000006
【図５】
0003177621.tif 000007
【図６】
0003177621.tif 000008
【図７】
0003177621.tif 000009
【図８】
0003177621.tif 000010